(57)【要約】【課題】貫通孔内でのボルトの容易な位置調整手段を提供するとともに、容易かつコストを抑えたボルトのガイドディスクに対する回転防止を達成すること。【解決手段】特にキャリアのガイドディスク３におけるストップボルト１の配置構造である、ディスク３の貫通孔２におけるボルト１の配置構造であって、前記ボルト１が前記ディスク３にかしめられてその回転が防止されている前記ボルト配置構造において、前記ディスク３の端面に少なくとも１つの凹部６を形成するとともに、該凹部に前記ディスク３の縁部３ｂをかしめることができるよう構成した。
2010507764.tif 000002
【特許請求の範囲】
【請求項１】
特にキャリアのガイドディスク（３）におけるストップボルト（１）の配置構造である、ディスク（３）の貫通孔（２）におけるボルト（１）の配置構造であって、前記ボルト（１）が前記ディスク（３）にかしめられてその回転が防止されている前記ボルト配置構造において、
前記ディスク（３）の端面に少なくとも１つの凹部（６）を形成するとともに、該凹部に前記ディスク（３）の縁部（３ｂ）をかしめることができるよう構成したことを特徴とするボルト配置構造。
【請求項２】
前記凹部を溝（６）として形成したことを特徴とする請求項１記載のボルト配置構造。
【請求項３】
前記溝（６）を前記ボルト（１）端面における直径にわたって延在させたことを特徴とする請求項２記載のボルト配置構造。
【請求項４】
前記溝（６）の断面を略Ｕ字状に形成したことを特徴とする請求項２又は３記載のボルト配置構造。
【請求項５】
１つの長手方向孔（４）と、該長手方向孔（４）を貫通する少なくとも１つの横方向孔（５）とを前記ボルト（１）に設けたことを特徴とする請求項１〜４のいずれか１項に記載のボルト配置構造。
【請求項６】
前記長手方向（４）が前記溝（６）を貫通するよう構成したことを特徴とする請求項５記載のボルト配置構造。
【請求項７】
前記ボルト（１）の端面（１ｂ）を、前記ディスク（３）の外面（３ａ）と同一平面となるよう形成したことを特徴とする請求項１〜６のいずれか１項に記載のボルト配置構造。
【請求項８】
請求項１〜６のいずれかに記載のボルト配置構造における前記ボルト（１）の位置決め及び回転防止の方法において、
前記ボルト（１）を前記貫通孔（２）に挿入するステップと、
工具を前記凹部（６）に係合させることにより、前記工具の位置を調整するステップと、
前記貫通孔（２）の縁部（３ｂ）をかしめることによって固定するステップ
のうち少なくともいずれかを行うことを特徴とする方法。
【発明の詳細な説明】
【技術分野】
【０００１】
本発明は、請求項１の前提部分に記載されたボルト配置構造並びに請求項８の前提部分に記載されたボルトの位置決め及び回転防止の方法に関するものである。
【背景技術】
【０００２】
遊星歯車機構におけるキャリアにおいて、特に（間隔維持のための）ストップボルト又はリベットボルトであるボルトをガイドディスクにおける貫通孔に挿入し、該ガイドディスクに対してかしめることが知られている。ストップボルトは長手方向孔及び横方向孔を有しており、これら長手方向孔及び横方向孔によってプラネタリギヤの支持箇所へオイルを供給するようになっている。
【０００３】
また、ストップボルトは、かしめによって固定される前に、キャリアの回転方向に対する角度位置が調整される。このために、キャリアにおける貫通孔には溝が設けられており、この溝には、回転防止のためにストップボルトがかしめられる。
【０００４】
しかしながら、貫通孔の軸中心線の傾斜及び交差点が変化してしまうという欠点がある。ボルトの調整は、従来の方法においては、油孔の中心に係合してストップボルトの位置調整を行う組付装置によって行われていた。しかし、このような方法は、ボルトの直径が比較的大きな場合にのみ可能であり、ボルトの直径が比較的小さい場合には不可能である。
【０００５】
特許文献１には、互いに平行に設けられた２つのガイドディスクと、リベットボルトとして形成されつつこれらを互いに結合する間隔維持部材とから成るキャリアが開示されている。このリベットボルトはその端面に複数のピンを備えており、このピンは、ガイドディスクの貫通孔に挿入され、かしめられる。このとき、ピンは、径方向外方へ貫通孔の縁部を介して押圧される。
【０００６】
また、その後、リベットは貫通孔に固定されるとともに、軸方向及び径方向に対して固定される。上述のように油孔を備えたストップボルトは、ほぼ同様にしてガイドディスクにかしめられる。
【０００７】
しかしながら、ストップボルトは比較的硬く、かしめるのに大きな力が必要であるという欠点がある。
【先行技術文献】
【特許文献】
【０００８】
【特許文献１】欧州特許第１２１４５３６号明細書
【発明の概要】
【発明が解決しようとする課題】
【０００９】
本発明は上記欠点にかんがみてなされたもので、その目的とするところは、冒頭に記載したボルト配置構造において、貫通孔内でのボルトの容易な位置調整手段を提供するとともに、容易かつコストを抑えたボルトのガイドディスクに対する回転防止を達成することにある。
【００１０】
さらに、本発明の目的は、ボルトの位置決め及び回転防止の方法を提供することにもある。
【課題を解決するための手段】
【００１１】
上記目的は、請求項１記載の特徴によって達成される。好ましい実施形態については、各従属請求項に記載されている。
【００１２】
本発明によれば、ボルトには、その端面に少なくとも１つの凹部、特に溝が設けられている。この溝は、好ましくは中心点を通って径方向にわたって延設されている。また、この溝の径方向反対側に位置する範囲にはディスクにおける貫通孔の縁部がかしめられて内方へ押圧される。そのため、ボルトとディスクの間の結合がなされ、回り止めが達成される。
【００１３】
さらに、本発明による溝により、かしめる前に適当な工具を用いることによってボルトを適当な角度位置へもたらすことが可能である。なお、これは、比較的小さな直径を有するものであっても可能である。そのため、ボルトに植込みボルトのように頭部に溝を設け、該ボルトをスクリュドライバによって回転させることも可能である。
【００１４】
そして、軸方向に変位する適当なダイによってかしめた後にばり取りをすることも不要である。すなわち、ボルトの端面は、ディスクの外面と同一平面となっており、ディスクの外面に対して内方へ容易に下降させることが可能である。また、溝をボルトの端部に形成することは、わずかな手間によって行うことが可能である。
【００１５】
ボルトの端面に形成された本発明による溝は、２つの機能を有している。すなわち、１つは位置決めする機能であり、もう１つはかしめによる回転防止機能である。ここで、径方向にわたって設けた溝に代えて、例えば互いに直角に設けられた２つの溝や、例えば星型となるよう形成された複数の溝を設けてもよい。さらに、工具によって回転させることができるよう該工具の係合を可能にする一方、かしめの際隣接する貫通孔縁部を押圧を可能にする凹部又は変形部をボルトの端面に設けてもよい。
【００１６】
また、油孔はキャリア又はそのガイドディスクに対して角度位置を固定される前に調整されなければならないので、特に、ストップボルトに長手方向孔及び横方向孔として形成された油孔を設けるのが好ましい。さらに、かしめに際して、キャリア又はガイドディスクの材料を比較的軟質の材料として形成し、これをストップボルトにおける溝に対して埋入させるのが好ましい。一方、ストップボルトを、比較的硬質に形成してかしめられないように、完全に焼入れすることが考えられる。
【００１７】
本発明の目的は請求項８記載の特徴によっても達成される。端面に溝を有するボルトは、貫通孔に挿入された後又はキャリアの貫通孔において位置調整された後、ダイの軸方向の変位によりかしめられて固定される。このようなかしめに対しては、キャリア又はガイドディスクが比較的軟質の材料で形成されているため、大きな力を必要としない。これにより、ストップボルトの傾斜又はひずみを生じさせる力が小さくて済むことになる。さらに、このようなかしめによれば、除去すべきばりの発生もない。
【発明の効果】
【００１８】
本発明によれば、貫通孔内でのボルトの容易な位置調整が可能であるとともに、容易かつコストを抑えたボルトのガイドディスクに対する回転防止を達成することが可能である。
【図面の簡単な説明】
【００１９】
【図１】貫通孔内におけるボルトの断面図である。
【図２ａ】図１におけるボルトの部分断面図である。
【図２ｂ】ボルトの部分側面図である。
【図２ｃ】ボルトの部分平面図（端面を示す）である。
【発明を実施するための形態】
【００２０】
以下に本発明の実施の形態を添付図面に基づいて説明する。
【００２１】
図１にはストップボルト１が部分的に示されており、このストップボルト１は、不図示のキャリアにおける部分的に示されたガイドディスク３の貫通孔２内に設けられている。また、このストップボルト１は長手軸線１ａ及び端面１ｂを備えており、この端面１ｂは、最終的な組付の前に、ガイドディスク３の外面３ａとほぼ同一平面となっている。
【００２２】
ストップボルト１内には、長手軸線１ａに沿って延びる長手方向孔４と、プラネタリギヤにおける不図示の軸受箇所にオイルを供給するための横方向孔５とが設けられている。また、端面１ｂには長手軸線１ａと直交する溝６が刻設されており、該溝６は長手方向孔４を貫通している。
【００２３】
しかして、図１における長手軸線１ａの左側にはストップボルト１の初期状態が示されている一方、同右側にはダイ７として示すかしめ工具によってかしめられた後のストップボルト１が示されている。このダイ７は、ほぼ円すい台形状に形成された端部７ａを備えており、長手軸線１ａ方向にふさがれている。すなわち、ダイ７は、一方で貫通孔を包囲するガイドディスク３における縁部３ｂを押圧し、他方でダイ７の移動により下方へ変位する端面１ｂを押圧する。これと同時に、図示するように、ガイドディスク３の一部がその縁部３ｂから溝６方向へ押しのけられる。これによりストップボルト１とガイドディスク３の間の結合がなされ、ストップボルト１の回転が防止されるとともに、その軸方向に固定される。
【００２４】
また、かしめる前に、ストップボルト１を不図示の工具によって長手軸線１ａ回りに回転させることが可能であり、この工具は、端面１ｂ側から溝６へ係合するとともに位置調整され、適当な角度位置にもたらされるものである。そして、その後、前述のようにストップボルト１がかしめられる。
【００２５】
図２ａ〜図２ｃには、それぞれ断面図、側面図及び平面図として図１に示すストップボルト１が単独で示されている。ここで、図１に示すものと同じ部材は、図１と同様な符号を付して示されている。
【００２６】
しかして、図２ｂには溝６の外形が示されており、この溝６は略Ｕ字状に形成されている。また、図２ｃには端面側の溝６の直径にわたる配置状態が示されており、この溝６は、径方向に延在し、長手方向孔４を貫通している。さらに、図２ｂ及び図２ｃには、組付を容易にするためのストップボルト１端面における面取り部８が示されている。
【００２７】
本発明は、上記ストップボルト及び上記実施の形態に限定されるものではなく、一方でボルトの調整を容易にし、その一方で回転を防止するという本発明の機能を満足する他の実施の形態も採用することが可能である。このとき、特に、従来技術のようにボルトをかしめるのではなく、ガイドディスク又は貫通孔縁部をかしめるようにすることが重要である。このような場合には、ガイドディスクの材料はボルトの材料よりも比較的軟質であり、ボルトの材料は、一般的に比較的硬質の材料で形成されているか、又は加工後に硬質化される。
【００２８】
さらに、かしめる際に貫通孔縁部外方から内方へ押し込まれる他の凹部又は変形部をボルトの周囲又は端面に設けることも考えられる。
【符号の説明】
【００２９】
１          ストップボルト
１ａ        長手軸線
１ｂ        端面
２          貫通孔
３          ガイドディスク
３ａ        ガイドディスクの外面
３ｂ        ガイドディスクの縁部
４          長手方向孔
５          横方向孔
６          溝
７          ダイ
７ａ        端部
８          面取り部
【図１】
2010507764.tif 000003
【図２ａ】
2010507764.tif 000004
【図２ｂ】
2010507764.tif 000005
【図２ｃ】
2010507764.tif 000006
【国際調査報告】
2010507764.tif 000007
2010507764.tif 000008
2010507764.tif 000009
2010507764.tif 000010